【手続補正書】
【提出日】平成17年12月21日(2005.12.21)
【手続補正１】
【補正対象書類名】明細書
【補正対象項目名】特許請求の範囲
【補正方法】変更
【補正の内容】
【特許請求の範囲】
【請求項１】
プリンタ、プリンタドライバを搭載したクライアント及びサーバがネットワークを介して接続されて構成され、前記クライアントによる前記プリンタへの印刷履歴を管理する印刷管理システムであって、
前記クライアントに搭載された前記プリンタドライバは、
前記プリンタに対する印刷データの印刷実行の有無を検知する検知手段と、
前記検知手段による検知後、前記印刷データの印刷履歴に係る印刷履歴情報を取得する取得手段とを備え、
前記サーバは、
前記印刷履歴情報を記録する記録手段と、
前記印刷履歴情報を構成する属性情報を判定する判定手段と
を備えることを特徴とする印刷管理システム。
【請求項２】
前記取得手段は、前記印刷データの出力先への出力前／後のいずれかで動作する
ことを特徴とする請求項１に記載の印刷管理システム。
【請求項３】
前記クライアントに搭載された前記プリンタドライバは、前記サーバへ前記印刷履歴情報を報告する報告手段と
を更に備えることを特徴とする請求項１に記載の印刷管理システム。
【請求項４】
前記サーバは、前記印刷履歴情報を収集する収集手段と
を更に備えることを特徴とする請求項１に記載の印刷管理システム。
【請求項５】
プリンタとそのプリントサーバ、プリンタドライバを搭載したクライアント及びサーバがネットワークを介して接続されて構成され、前記クライアントによる前記プリンタサーバを介する前記プリンタへの印刷履歴を管理する印刷管理システムであって、
前記プリントサーバは、
前記クライアントに搭載された前記プリンタドライバによる前記プリンタに対する印刷データの印刷実行の有無を検知する検知手段と、
前記検知手段による検知後、前記印刷データの印刷履歴に係る印刷履歴情報を取得する取得手段とを備え、
前記サーバは、
前記印刷履歴情報を記録する記録手段と、
前記印刷履歴情報を構成する属性情報を判定する判定手段と
を備えることを特徴とする印刷管理システム。
【請求項６】
前記取得手段は、前記印刷データの前記プリンタへの出力前／後のいずれかで動作する
ことを特徴とする請求項５に記載の印刷管理システム。
【請求項７】
前記クライアントに搭載されたプリンタドライバは、前記サーバへ前記印刷履歴情報を報告する報告手段と
を更に備えることを特徴とする請求項５に記載の印刷管理システム。
【請求項８】
プリンタ、プリンタドライバを搭載したクライアント及びサーバがネットワークを介して接続されて構成され、前記クライアントに搭載された前記プリンタドライバによる前記プリンタへの印刷履歴を管理する印刷管理システムであって、
前記プリンタは、
前記クライアントに搭載された前記プリンタドライバによる印刷データの印刷実行の有無を検知する検知手段と、
前記検知手段による検知後、前記印刷データの印刷履歴に係る印刷履歴情報を取得する取得手段とを備え、
前記サーバは、
前記印刷履歴を記録する記録手段と、
前記印刷履歴情報を構成する属性情報を判定する判定手段と
を備えることを特徴とする印刷管理システム。
【請求項９】
前記取得手段は、前記印刷データの印刷前／後のいずれかで動作する
ことを特徴とする請求項８に記載の印刷管理システム。
【請求項１０】
前記プリンタは、前記サーバへ前記印刷履歴情報を報告する報告手段と
を更に備えることを特徴とする請求項８に記載の印刷管理システム。
【請求項１１】
サーバとネットワークを介して接続され、前記ネットワークを介する印刷データの印刷履歴に係る印刷履歴情報を取得する情報処理装置であって、
前記印刷データの印刷実行の有無を検知する検知手段と、
前記検知手段による検知後、前記サーバで判定対象となる印刷履歴情報を取得する取得手段と
を備えることを特徴とする情報処理装置。
【請求項１２】
前記印刷履歴情報を前記サーバへ報告する報告手段と
を更に備えることを特徴とする請求項１１に記載の情報処理装置。
【請求項１３】
前記情報処理装置は、前記サーバに対するクライアント、該クライアントのプリンタドライバ、プリンタ、該プリンタのプリントサーバのいずれかである
ことを特徴とする請求項１１に記載の情報処理装置。
【請求項１４】
ネットワークを介する印刷データの印刷履歴に係る印刷履歴情報を管理する情報処理装置であって、
前記ネットワークを介して前記印刷履歴情報を受信する受信手段と、
前記印刷履歴情報を記録する記録手段と、
前記印刷履歴情報を構成する属性情報を判定する判定手段と
を備えることを特徴とする情報処理装置。
【請求項１５】
前記判定手段の判定結果を出力する出力手段と
を更に備えることを特徴とする請求項１４に記載の情報処理装置。
【請求項１６】
サーバとネットワークを介して接続され、前記ネットワークを介する印刷データの印刷履歴に係る印刷履歴情報を取得する情報処理装置の制御方法であって、
前記印刷データの印刷実行の有無を検知する検知工程と、
前記検知工程による検知後、前記サーバで判定対象となる印刷履歴情報を取得する取得工程と
を備えることを特徴とする情報処理装置の制御方法。
【請求項１７】
ネットワークを介する印刷データの印刷履歴に係る印刷履歴情報を管理する情報処理装置の制御方法であって、
前記ネットワークを介して前記印刷履歴情報を受信する受信工程と、
前記印刷履歴情報を記録する記録工程と、
前記印刷履歴情報を構成する属性情報を判定する判定工程と
を備えることを特徴とする情報処理装置の制御方法。
【請求項１８】
サーバとネットワークを介して接続され、前記ネットワークを介する印刷データの印刷履歴に係る印刷履歴情報を取得する情報処理装置の制御をコンピュータに機能させるためのプログラムであって、
前記印刷データの印刷実行の有無を検知する検知工程と、
前記検知工程による検知後、前記サーバで判定対象となる印刷履歴情報を取得する取得工程と
をコンピュータに機能させることを特徴とするプログラム。
【請求項１９】
ネットワークを介する印刷データの印刷履歴に係る印刷履歴情報を管理する情報処理装置の制御をコンピュータに機能させるためのプログラムであって、
前記ネットワークを介して前記印刷履歴情報を受信する受信工程と、
前記印刷履歴情報を記録する記録工程と、
前記印刷履歴情報を構成する属性情報を判定する判定工程と
をコンピュータに機能させることを特徴とするプログラム。
【手続補正２】
【補正対象書類名】明細書
【補正対象項目名】００１１
【補正方法】変更
【補正の内容】
【００１１】
【課題を解決するための手段】
上記の目的を達成するための本発明による印刷管理システムは以下の構成を備える。即ち、
プリンタ、プリンタドライバを搭載したクライアント及びサーバがネットワークを介して接続されて構成され、前記クライアントによる前記プリンタへの印刷履歴を管理する印刷管理システムであって、
前記クライアントに搭載された前記プリンタドライバは、
前記プリンタに対する印刷データの印刷実行の有無を検知する検知手段と、
前記検知手段による検知後、前記印刷データの印刷履歴に係る印刷履歴情報を取得する取得手段とを備え、
前記サーバは、
前記印刷履歴情報を記録する記録手段と、
前記印刷履歴情報を構成する属性情報を判定する判定手段と
を備える。
【手続補正３】
【補正対象書類名】明細書
【補正対象項目名】００１２
【補正方法】削除
【補正の内容】
【手続補正４】
【補正対象書類名】明細書
【補正対象項目名】００１４
【補正方法】変更
【補正の内容】
【００１４】
また、好ましくは、前記クライアントに搭載された前記プリンタドライバは、前記サーバへ前記印刷履歴情報を報告する報告手段と
を更に備える。
【手続補正５】
【補正対象書類名】明細書
【補正対象項目名】００１５
【補正方法】変更
【補正の内容】
【００１５】
また、好ましくは、前記サーバは、前記印刷履歴情報を収集する収集手段と
を更に備える。
【手続補正６】
【補正対象書類名】明細書
【補正対象項目名】００１６
【補正方法】変更
【補正の内容】
【００１６】
上記の目的を達成するための本発明による印刷管理システムは以下の構成を備える。即ち、
プリンタとそのプリントサーバ、プリンタドライバを搭載したクライアント及びサーバがネットワークを介して接続されて構成され、前記クライアントによる前記プリンタサーバを介する前記プリンタへの印刷履歴を管理する印刷管理システムであって、
前記プリントサーバは、
前記クライアントに搭載された前記プリンタドライバによる前記プリンタに対する印刷データの印刷実行の有無を検知する検知手段と、
前記検知手段による検知後、前記印刷データの印刷履歴に係る印刷履歴情報を取得する取得手段とを備え、
前記サーバは、
前記印刷履歴情報を記録する記録手段と、
前記印刷履歴情報を構成する属性情報を判定する判定手段と
を備える。
【手続補正７】
【補正対象書類名】明細書
【補正対象項目名】００１８
【補正方法】変更
【補正の内容】
【００１８】
また、好ましくは、前記クライアントに搭載されたプリンタドライバは、前記サーバへ前記印刷履歴情報を報告する報告手段と
を更に備える。
【手続補正８】
【補正対象書類名】明細書
【補正対象項目名】００１９
【補正方法】変更
【補正の内容】
【００１９】
上記の目的を達成するための本発明による印刷管理システムは以下の構成を備える。即ち、
プリンタ、プリンタドライバを搭載したクライアント及びサーバがネットワークを介して接続されて構成され、前記クライアントに搭載された前記プリンタドライバによる前記プリンタへの印刷履歴を管理する印刷管理システムであって、
前記プリンタは、
前記クライアントに搭載された前記プリンタドライバによる印刷データの印刷実行の有無を検知する検知手段と、
前記検知手段による検知後、前記印刷データの印刷履歴に係る印刷履歴情報を取得する取得手段とを備え、
前記サーバは、
前記印刷履歴を記録する記録手段と、
前記印刷履歴情報を構成する属性情報を判定する判定手段と
を備える。
【手続補正９】
【補正対象書類名】明細書
【補正対象項目名】００２１
【補正方法】変更
【補正の内容】
【００２１】
また、好ましくは、前記プリンタは、前記サーバへ前記印刷履歴情報を報告する報告手段と
を更に備える。
【手続補正１０】
【補正対象書類名】明細書
【補正対象項目名】００２２
【補正方法】変更
【補正の内容】
【００２２】
上記の目的を達成するための本発明による情報処理装置は以下の構成を備える。即ち、
サーバとネットワークを介して接続され、前記ネットワークを介する印刷データの印刷履歴に係る印刷履歴情報を取得する情報処理装置であって、
前記印刷データの印刷実行の有無を検知する検知手段と、
前記検知手段による検知後、前記サーバで判定対象となる印刷履歴情報を取得する取得手段と
を備える。
【手続補正１１】
【補正対象書類名】明細書
【補正対象項目名】００２３
【補正方法】変更
【補正の内容】
【００２３】
また、好ましくは、前記印刷履歴情報を前記サーバへ報告する報告手段と
を更に備える。
【手続補正１２】
【補正対象書類名】明細書
【補正対象項目名】００２５
【補正方法】変更
【補正の内容】
【００２５】
上記の目的を達成するための本発明による情報処理装置は以下の構成を備える。即ち、  ネットワークを介する印刷データの印刷履歴に係る印刷履歴情報を管理する情報処理装置であって、
前記ネットワークを介して前記印刷履歴情報を受信する受信手段と、
前記印刷履歴情報を記録する記録手段と、
前記印刷履歴情報を構成する属性情報を判定する判定手段と
を備える。
【手続補正１３】
【補正対象書類名】明細書
【補正対象項目名】００２７
【補正方法】変更
【補正の内容】
【００２７】
上記の目的を達成するための本発明による情報処理装置の制御方法は以下の構成を備える。即ち、
サーバとネットワークを介して接続され、前記ネットワークを介する印刷データの印刷履歴に係る印刷履歴情報を取得する情報処理装置の制御方法であって、
前記印刷データの印刷実行の有無を検知する検知工程と、
前記検知工程による検知後、前記サーバで判定対象となる印刷履歴情報を取得する取得工程と
を備える。
【手続補正１４】
【補正対象書類名】明細書
【補正対象項目名】００２８
【補正方法】変更
【補正の内容】
【００２８】
上記の目的を達成するための本発明による情報処理装置の制御方法は以下の構成を備える。即ち、
ネットワークを介する印刷データの印刷履歴に係る印刷履歴情報を管理する情報処理装置の制御方法であって、
前記ネットワークを介して前記印刷履歴情報を受信する受信工程と、
前記印刷履歴情報を記録する記録工程と、
前記印刷履歴情報を構成する属性情報を判定する判定工程と
を備える。
【手続補正１５】
【補正対象書類名】明細書
【補正対象項目名】００２９
【補正方法】変更
【補正の内容】
【００２９】
上記の目的を達成するための本発明によるプログラムは以下の構成を備える。即ち、
サーバとネットワークを介して接続され、前記ネットワークを介する印刷データの印刷履歴に係る印刷履歴情報を取得する情報処理装置の制御をコンピュータに機能させるためのプログラムであって、
前記印刷データの印刷実行の有無を検知する検知工程と、
前記検知工程による検知後、前記サーバで判定対象となる印刷履歴情報を取得する取得工程と
をコンピュータに機能させることを特徴とする。
【手続補正１６】
【補正対象書類名】明細書
【補正対象項目名】００３０
【補正方法】変更
【補正の内容】
【００３０】
上記の目的を達成するための本発明によるプログラムは以下の構成を備える。即ち、
ネットワークを介する印刷データの印刷履歴に係る印刷履歴情報を管理する情報処理装置の制御をコンピュータに機能させるためのプログラムであって、
前記ネットワークを介して前記印刷履歴情報を受信する受信工程と、
前記印刷履歴情報を記録する記録工程と、
前記印刷履歴情報を構成する属性情報を判定する判定工程と
をコンピュータに機能させることを特徴とする。